(57)【要約】【課題】  一重巻きの場合のみならず二重巻きの場合も適切にホースを巻き取ることができる消防用ホース巻取具の提供。【解決手段】  本発明に係る消防用ホース巻取具は、操作桿１の下端部１ａに該操作桿１の軸方向と直交する方向に延びる軸部２を設け、該軸部２に円筒状の巻取ドラム３を一方向のみ回転可能に軸支した構成を備え、該巻取ドラム３を地上に敷いたホース上で回転することにより該ホースを巻き取ることができる消防用ホース巻取具であって、上記巻取ドラム３はホースを巻き取る巻取部３Ａと、該巻取部３Ａと連続し同巻取部３Ａと上記操作桿１間にスペースを与えるスペーサー部３Ｂとを備え、上記巻取部３Ａの周壁のみにホースの一部を上記巻取ドラム３内に配するためのスリット３ａを設けた構成により、ホースを容易且つ適切に上記巻取部３Ａで巻き取ることができる。【選択図】  図２
2018162159.tif 000002
【特許請求の範囲】
【請求項１】
操作桿の下端部に該操作桿の軸方向と直交する方向に延びる軸部を設け、該軸部に円筒状の巻取ドラムを一方向のみ回転可能に軸支した構成を備え、該巻取ドラムを地上に敷いたホース上で回転することにより該ホースを巻き取ることができる消防用ホース巻取具であって、上記巻取ドラムはホースを巻き取る巻取部と、該巻取部と連続し同巻取部と上記操作桿間にスペースを与えるスペーサー部とを備え、上記巻取部の周壁のみにホースの一部を上記巻取ドラム内に配するためのスリットを設けたことを特徴とする消防用ホース巻取具。
【請求項２】
上記巻取ドラムの進行方向の前方又は上記巻取ドラムの上方にホースを該巻取ドラムに案内するガイド部を設けたことを特徴とする請求項１記載の消防用ホース巻取具。
【請求項３】
上記ガイド部はホースの底部を案内する底部用ローラーと、該ホースの側部をそれぞれ案内する一対の側部用ローラーを備えたことを特徴とする請求項２記載の消防用ホース巻取具。
【請求項４】
上記巻取ドラムにおいて、上記スペーサー部の外径を上記巻取部の外径より大きく設定して段差部を形成したことを特徴とする請求項１乃至請求項３の何れかに記載の消防用ホース巻取具。
【請求項５】
請求項１乃至請求項４の何れかに記載の消防用ホース巻取具を用いた消防用ホースの巻取方法であって、ホースの中途部を折り返して二重端部を形成し、該二重端部を巻いて巻芯部を形成し、該巻芯部を上記スリットを通じて上記巻取ドラム内に配した後、上記巻取ドラムを回転させてホースを二重に巻き取ることを特徴とする消防用ホースの巻取方法。
【請求項６】
上記二重端部をホースの長さ方向の中心よりもずらして形成して、当該ホースを短い巻取対象部分と長い巻取対象部分とに分け、該短い巻取対象部分を上記巻取ドラムの下側から巻き取ると共に、上記長い巻取対象部分を上記巻取ドラムの上側から巻き取ることを特徴とする請求項５記載の消防用ホースの巻取方法。
【発明の詳細な説明】
【技術分野】
【０００１】
本発明は、使用後の消防用ホースを巻き取る器具及び方法に関する。
【背景技術】
【０００２】
消防用ホースの巻取具として下記特許文献１に示すものが既知である。該巻取具は、操作用ハンドルの下端部に円筒状の巻取ドラムを一方向のみに回転可能に軸支した構成を有し、地上に敷いたホースの一端部（口金）を上記巻取ドラム内に固定しつつ該巻取ドラムを回転させることにより簡単にホースを巻き取ることができる。
【先行技術文献】
【特許文献】
【０００３】
【特許文献１】特開２００５−１２６１５２号公報
【発明の概要】
【発明が解決しようとする課題】
【０００４】
上記特許文献１の消防用ホース巻取具を使用すれば、作業者は中腰にならずに立ったまま簡単にホースを一重巻きすること、つまり一端部から他端部まで全長に亘り巻き取ることができる。また、当該巻取具が自ら進行しながら地上に敷いたホースを巻き取るので、ホースを引きずって端部の口金等を傷付けることがない。
【０００５】
他方、巻取ドラムがホースと同等の幅であるため、ホースを真っ直ぐに敷かなければ、巻き取り時にホースが巻取ドラムから外れてしまい上手く巻き取れない問題点を有している。特にホースが巻取ドラムと操作ハンドル間に入り込んでしまい、上手く巻き取れなくなる問題点を有している。
【０００６】
また、上記特許文献１の巻取具は、ホースを長さ方向の略中心で折り返し二重にして巻き取る場合、つまり二重巻きの場合を一切想定していない。仮に二重巻きを行ったとしても上記の問題点が顕著となる。
【課題を解決するための手段】
【０００７】
本発明は、上記従来の巻取具が抱える問題点を有効に解決しつつ、一重巻きの場合のみならず二重巻きの場合も適切にホースを巻き取ることができる巻取具を提供する。また、適切にホースを二重巻きできる方法を提供する。
【０００８】
要述すると、本発明に係る消防用ホース巻取具は、操作桿の下端部に該操作桿の軸方向と直交する方向に延びる軸部を設け、該軸部に円筒状の巻取ドラムを一方向のみ回転可能に軸支した構成を備え、該巻取ドラムを地上に敷いたホース上で回転することにより該ホースを巻き取ることができる消防用ホース巻取具であって、上記巻取ドラムはホースを巻き取る巻取部と、該巻取部と連続し同巻取部と上記操作桿間にスペースを与えるスペーサー部とを備え、上記巻取部の周壁のみにホースの一部を上記巻取ドラム内に配するためのスリットを設けた構成により、ホースを容易且つ適切に上記巻取部で巻き取ることができる。
【０００９】
また、上記巻取ドラムの進行方向の前方又は上記巻取ドラムの上方にホースを該巻取ドラムに案内するガイド部を設けた構成により、巻き取られるホースの皺や捩じれを解消しつつ巻き取ることができると共に、ホースを確実に上記巻取ドラムの巻取部へ導くことができる。
【００１０】
好ましくは、上記ガイド部はホースの底部を案内する底部用ローラーと、該ホースの側部をそれぞれ案内する一対の側部用ローラーを備える構成とし、スムーズにホースを案内できるようにする。
【００１１】
また、上記巻取ドラムにおいて、上記スペーサー部の外径を上記巻取部の外径より大きく設定して段差部を形成したことにより、上記巻取部で確実にホースを巻き取ることができる。
【００１２】
また、本発明に係る消防用ホースの巻取方法は、既述の本発明に係る消防用ホース巻取具を用いた消防用ホースの巻取方法であって、ホースの中途部を折り返して二重端部を形成し、該二重端部を巻いて巻芯部を形成し、該巻芯部を上記スリットを通じて上記巻取ドラム内に配した後、上記巻取ドラムを回転させてホースを二重に巻き取ることにより、容易且つ適切にホースを二重にして巻き取ることができる。
【００１３】
好ましくは、上記二重端部をホースの長さ方向の中心よりもずらして形成して、当該ホースを短い巻取対象部分と長い巻取対象部分とに分け、該短い巻取対象部分を上記巻取ドラムの下側から巻き取ると共に、上記長い巻取対象部分を上記巻取ドラムの上側から巻き取ることにより、ホースを上記巻取ドラムに確実に二重巻きすることができる。
【発明の効果】
【００１４】
本発明に係る消防用ホース巻取具によれば、容易且つ適切にホースを巻取ドラムに巻き取ることができる。
【００１５】
また、簡易構造ながらも一重巻きの場合と二重巻きの場合の双方に対応することができる。
【００１６】
本発明に係る消防用ホースの巻取方法によれば、容易且つ適切にホースを二重巻きすることができる。
【図面の簡単な説明】
【００１７】
【図１】実施例１に係る消防用ホース巻取具の正面図である。
【図２】実施例１に係る消防用ホース巻取具の背面図である。
【図３】実施例１に係る消防用ホース巻取具の平面図である。
【図４】実施例１に係る消防用ホース巻取具の底面図である。
【図５】実施例１に係る消防用ホース巻取具の右側面図である。
【図６】実施例１に係る消防用ホース巻取具の左側面図である。
【図７】実施例１に係る消防用ホース巻取具の使用状態を示す説明図である。
【図８】実施例１に係る消防用ホース巻取具にガイド部を設けた状態を示す斜視図である。
【図９】実施例２に係る消防用ホース巻取具の正面図である。
【図１０】実施例２に係る消防用ホース巻取具の背面図である。
【図１１】実施例２に係る消防用ホース巻取具の平面図である。
【図１２】実施例２に係る消防用ホース巻取具の底面図である。
【図１３】実施例２に係る消防用ホース巻取具の右側面図である。
【図１４】実施例２に係る消防用ホース巻取具の左側面図である。
【図１５】実施例２に係る消防用ホース巻取具による巻き取り作業開始時の状態を示す説明図である。
【図１６】実施例２に係る消防用ホース巻取具による巻き取り作業時の状態を示す説明図である。
【発明を実施するための形態】
【００１８】
本発明に係る消防用ホース巻取具及び消防用ホース巻取方法の最適な実施例について、図１乃至図１６に基づき詳述する。
【００１９】
＜消防用ホース巻取具の基本構成＞
図１乃至図６，図９乃至図１４に示すように、本発明に係る消防用ホース巻取具は、真っ直ぐに延びる棒状の操作桿１と、該操作桿１の下端部１ａに同操作桿１の軸方向と直交する方向に延びるように設けられた軸部２と、該軸部２に一方向のみ回転可能に軸支された円筒状の巻取ドラム３を備える基本構成を有しており、巻取ドラム３の内部にホースの一部を収容した後、巻取ドラム３を地上に敷いたホース上で回転することにより当該巻取ドラム３の外周部にてホースを巻き取ることができる。
【００２０】
基本構成について詳述すると、まず、操作桿１の下端部１ａに固定した軸固定用板４に軸部２が軸固定用金具５を介して軸直交方向に延びるように固定される構成を有している。なお、本発明においては、操作桿１の下端部１ａに軸部２を設ければよく、軸固定用板４や軸固定用金具５を用いずに、直接、操作桿１に軸部２を固定してもよいことは勿論である。
【００２１】
また、上記のように固定した軸部２の一端部にダブルナット６を螺合して軸固定用金具５からの抜け止めを図ると共に、同他端部に巻取ドラム３を逆転防止手段７を介して一方向のみに回転可能に軸支する構成を有している。該逆転防止手段７は円筒状のケースに内包した既知のラチェット機構やワンウェイクラッチ機構等である。
【００２２】
操作桿１は大径管１Ａ内に小径管１Ｂを挿入した二重管構造となっており、伸縮可能な構成となっている。好ましくは、大径管１Ａにピン孔を穿設し、該ピン孔に係合する出没ピンを小径管１Ｂに備える等して位置決め手段を設け、段階的に長さ調整できるようにする。加えて操作桿１の上端部１ｂには把持部８を設けて操作性を向上する。
【００２３】
巻取ドラム３はホースを巻き取る巻取部３Ａと、該巻取部３Ａと連続し同巻取部３Ａと操作桿１間にスペースを与えるスペーサー部３Ｂとを備え、上記巻取部３Ａの周壁のみにスリット３ａを設ける構成となっている。また、巻取ドラム３は軸部２による軸支のために円板状の側壁３ｂを有している。
【００２４】
≪実施例１に係る消防用ホース巻取具≫
図１乃至図６は、実施例１に係る消防用ホース巻取具を示している。本実施例に係る巻取具は、既述した基本構成を備えると共に、操作桿１の下端部１ａから下方に延びる脚部９を備えており、自立可能である。
【００２５】
本実施例に係る巻取具はホースを一重巻きする場合に対応することができる。よって巻取ドラム３の内径はホース端部の口金を収容できるように適宜調整する。ホースの巻取方法については後述する。
【００２６】
また、本実施例においては、図８に示すように、巻取ドラム３の進行方向の前方にホースを該巻取ドラム３に案内するガイド部１０を設ける構成とすることができる。該ガイド部１０により、巻き取られるホースの皺や捩じれを解消しつつ巻き取ることができると共に、ホースを確実に巻取ドラム３の巻取部３Ａへ導くことができる。
【００２７】
ガイド部１０は、軸部２に回動可能に軸支される支持アーム１１と、該支持アーム１１の先端部に設けられた第一ローラー部１２及び第二ローラー部１３と、上記支持アーム１１の先端に設けられた車輪１４とから成る。
【００２８】
第一ローラー部１２はホースの底部を案内する底部用ローラー１２ａと、ホースの側部をそれぞれ案内する一対の側部用ローラー１２ｂとを有する構成となっている。また、第二ローラー部１３は第一ローラー部１２の底部用ローラー１２ａと対向しホースの天部を案内する天部用ローラー１３ａを有する構成となっている。好ましくは第一ローラー部１２の底部用ローラー１２ａを第二ローラー部１３の天部用ローラー１３ａよりも上位に設定する。なお、第二ローラー部１３たる天部用ローラー１３ａについては、省略することも実施に応じ任意である。
【００２９】
≪実施例２に係る消防用ホース巻取具≫
図９乃至図１４は、実施例２に係る消防用ホース巻取具を示している。本実施例に係る巻取具は、既述した基本構成を備えると共に、巻取ドラム３の構成と該巻取ドラム３の上方にガイド部２０を備える構成に特徴を有する。
【００３０】
本実施例に係る巻取具の巻取ドラム３は、スペーサー部３Ｂの外径を巻取部３Ａの外径より大きく設定して段差部を形成したことにより、さらに確実に巻取ドラム３と操作桿１間にホースが入り込むのを防止し、もって巻取部３Ａで確実にホースを巻き取ることができる。
【００３１】
また、本実施例に係る巻取具は、巻取ドラム３の上方にガイド部２０を備える。該ガイド部２０は操作桿１に固定された支持アーム２１と、該支持アーム２１により支持されるローラー部２２とから成り、該ローラー部２２はホースの底部を案内する底部用ローラー２２ａとホースの側部をそれぞれ案内する一対の対向する側部用ローラー２２ｂとから成る。
【００３２】
なお、本実施例に係る巻取具はホースを二重巻きする場合に対応することができる。よって巻取ドラム３の内径はホース端部の口金を収容できるほど長くなくてもよく、後述する巻芯部を収容できる範囲で可及的に短くすることができる。ホースの巻取方法については後述する。
【００３３】
＜消防用ホース巻取方法＞
各実施例に係るホース巻取具を用いた巻取方法について詳述する。
【００３４】
≪実施例に１に係る消防用ホース巻取具による巻取方法≫
実施例１に係るホース巻取具を用いてホースを一重巻きする場合には、まず、地上にホースを全長に亘り真っ直ぐに敷いた後、ホースの一端部の口金（雄雌どちらでも可）をスリット３ａを通じて巻取ドラム３の内部に配する。
【００３５】
次いで、図７に示すように、操作桿１の把持部８を握って、地上に敷いたホースＨ上で巻取ドラム３を回転していけば、スリット３ａの縁部が巻取始点となって容易且つ適切にホースＨを全長に亘り巻き取ることができる。この際には巻取ドラム３のスペーサー部３Ｂが操作桿１と巻取部３Ａとの間にスペースを与えていることから、操作桿１と巻取ドラム３間にホースが入り込むことがないと共に、もし操作桿１側へホースがずれて巻かれたとしてもスペーサー部３Ｂがこれに対応する。
【００３６】
また、図８に示すように実施例１に係る巻取具にガイド部１０を設けた場合には、巻き取られる前のホースが第一ローラー部１２により一旦持ち上げられつつ巻取ドラム３の巻取部３Ａに巻き取られるように位置合わせされ、第二ローラー部１３により地上に戻されて巻取ドラム３の巻取部３Ａにて巻き取られるように待機する。よって、ホースを確実に巻取ドラム３の巻取部３Ａへと導くことができる。なお、ホースの口金はガイド部１０を通過できないため、ホースの他端部の口金（巻き取り終点側の口金）がガイド部１０の手前に達した時点でガイド部１０からホースを外すことは勿論である。
【００３７】
≪実施例に２に係る消防用ホース巻取具による巻取方法≫
実施例２に係るホース巻取具を用いてホースを二重巻きする場合には、まず、ホースの中途部を折り返して二重端部を形成し、該二重端部を巻いて巻芯部を形成し、図１５に示すように、該巻芯部をスリット３ａを通じて巻取ドラム３内に配する。
【００３８】
好ましくは、上記した二重端部をホースの長さ方向の中心よりもずらして形成して、当該ホースを短い巻取対象部分Ｈ１と長い巻取対象部分Ｈ２とに分け、図１５，図１６に示すように、該短い巻取対象部分Ｈ１を巻取ドラム３の下側から巻き取ると共に、長い巻取対象部分Ｈ２を巻取ドラム３の上側から巻き取ることにより、ホースを巻取ドラム３に確実に二重巻きすることができる。
【００３９】
加えて、実施例２に係る巻取具においては、巻取ドラム３の上方にガイド部２０を設けていることから、長い巻取対象部分Ｈ２が一旦持ち上げられつつ巻取ドラム３の巻取部３Ａに巻き取られるように位置合わせされ、自重により巻取ドラム３の巻取部３Ａ側に落ちていき、巻き取られる。
【００４０】
また、上記のように長い巻取対象部分Ｈ２が巻取ドラム３の上方のガイド部２０を経由することから、その経由距離を調整して長い巻取対象部分Ｈ２と短い巻取対象部分Ｈ１の長さの差分を吸収でき、巻取ドラム３を両部分Ｈ１，Ｈ２の終端となる口金にほぼ同時に到達させることができる。よって、二つの口金を最初から並べて地上に置いておけばよいので、どちらの口金を遠くに置くか等の作業の煩雑さは生じ得ない。
【００４１】
実施例２に係る巻取具においては、巻取ドラム３の構成が、スペーサー部３Ｂの外径を巻取部３Ａの外径より大きく設定して段差部を形成した構成となっていることにより、巻取部３Ａで確実にホースを巻き取ることができる。また、実施例２に係る巻取具においても、巻取ドラム３のスペーサー部３Ｂの役割は実施例１の場合と同様であり、操作桿１と巻取ドラム３間にホースが入り込むことを防止し、もし操作桿１側へホースがずれて巻かれたとしても、ずれたホースを受け止めて対応する。
【００４２】
なお、実施例２に係る巻取具のガイド部２０を省略して、本発明に係る二重巻きの巻取方法を実施することも任意である。この場合には作業者が一方の手で長い巻取対象部分Ｈ２を持ち上げ、他方の手で操作桿１を操作すればよい。また、実施例１において図８で示したガイド部１０を巻取ドラム３の進行方向手前側に設け、該ガイド部１０にて短い巻取対象部分Ｈ１を巻取ドラム３の巻取部３Ａへと案内してもよい。
【符号の説明】
【００４３】
１…操作桿、１Ａ…大径管、１Ｂ…小径管、１ａ…下端部、１ｂ…上端部、２…軸部、３…巻取ドラム、３Ａ…巻取部、３Ｂ…スペーサー部、３ａ…スリット、３ｂ…側壁、４…軸固定用板、５…軸固定用金具、６…ダブルナット、７…逆転防止手段、８…把持部、９…脚部、１０…ガイド部、１１…支持アーム、１２…第一ローラー部、１２ａ…底部用ローラー、１２ｂ…側部用ローラー、１３…第二ローラー部、１３ａ…天部用ローラー、１４…車輪、２０…ガイド部、２１…支持アーム、２２…ローラー部、２２ａ…底部用ローラー、２２ｂ…側部用ローラー、Ｈ…ホース、Ｈ１…短い巻取対象部分、Ｈ２…長い巻取対象部分。
【図１】
2018162159.tif 000003
【図２】
2018162159.tif 000004
【図３】
2018162159.tif 000005
【図４】
2018162159.tif 000006
【図５】
2018162159.tif 000007
【図６】
2018162159.tif 000008
【図７】
2018162159.tif 000009
【図８】
2018162159.tif 000010
【図９】
2018162159.tif 000011
【図１０】
2018162159.tif 000012
【図１１】
2018162159.tif 000013
【図１２】
2018162159.tif 000014
【図１３】
2018162159.tif 000015
【図１４】
2018162159.tif 000016
【図１５】
2018162159.tif 000017
【図１６】
2018162159.tif 000018